(57)【要約】【課題】介入の効果の評価をより適切に行うための情報を提示することができる医用情報処理装置及び医用情報処理方法を提供すること。【解決手段】実施形態に係る医用情報処理装置は、取得部と、分類部と、表示制御部とを備える。取得部は、被検体に施された介入の履歴を示す履歴情報を取得する。分類部は、介入と当該介入に関する情報とを対応付けた情報に基づいて、介入の効果を評価する際に用いられる単位で、前記履歴情報に含まれる介入を分類する。表示制御部は、前記分類部によって分類された単位で、前記履歴情報に含まれる介入を示す情報を表示する。【選択図】図１
2018173897.tif 000002
【特許請求の範囲】
【請求項１】
被検体に施された介入の履歴を示す履歴情報を取得する取得部と、
介入と当該介入に関する情報とを対応付けた情報に基づいて、介入の効果を評価する際に用いられる単位で、前記履歴情報に含まれる介入を分類する分類部と、
前記分類部によって分類された単位で、前記履歴情報に含まれる介入を示す情報を表示する表示制御部と
を備える、医用情報処理装置。
【請求項２】
前記履歴情報に含まれる一連の介入を当該介入の時間的な連続性に基づいてまとめる導出部をさらに備え、
前記表示制御部は、前記導出部によってまとめられた単位を示す情報を表示する、
請求項１に記載の医用情報処理装置。
【請求項３】
前記分類部による分類結果に基づいて、前記履歴情報に含まれる一連の介入の開始時期及び終了時期を導出する導出部をさらに備え、
前記表示制御部は、前記一連の介入の開始時期及び終了時期を示す情報を表示する、
請求項１に記載の医用情報処理装置。
【請求項４】
前記表示制御部は、操作者によって指定された条件に基づいて、前記介入を示す情報を表示する単位を切り替える、
請求項１、２又は３に記載の医用情報処理装置。
【請求項５】
前記表示制御部は、前記介入の分類の大きさに関する粒度を切り替える、
請求項４に記載の医用情報処理装置。
【請求項６】
前記表示制御部は、前記介入の期間に関する粒度を切り替える、
請求項４に記載の医用情報処理装置。
【請求項７】
前記表示制御部は、前記分類部によって前記介入が複数の単位に分類された場合に、当該複数の単位の中から操作者によって指定された単位を一つにまとめて表示する、
請求項４に記載の医用情報処理装置。
【請求項８】
前記表示制御部は、前記分類部によって前記介入が複数の単位に分類された場合に、当該複数の単位をそれぞれ視覚的に識別可能に表示する、
請求項１〜７のいずれか一つに記載の医用情報処理装置。
【請求項９】
前記表示制御部は、前記履歴情報に含まれる介入を示す情報と関連付けて、当該介入に対応するレスポンスを示す情報をさらに表示する、
請求項１〜８のいずれか一つに記載の医用情報処理装置。
【請求項１０】
前記表示制御部は、前記介入の期間に一致する時間範囲のレスポンスを示す情報を表示する、
請求項９に記載の医用情報処理装置。
【請求項１１】
前記介入は、投薬、食事、リハビリ、手術、血管内治療、及び、放射線治療のうちの少なくとも一つである、
請求項１〜１０のいずれか一つに記載の医用情報処理装置。
【請求項１２】
前記単位は、薬剤のオーダ、薬剤の実施、薬剤の名称、薬剤の効能、薬剤の投与量、薬剤の投薬方法、介入の指示者、及び、介入の実施者のうちの少なくとも一つである、
請求項１〜１１のいずれか一つに記載の医用情報処理装置。
【請求項１３】
被検体に施された介入の履歴を示す履歴情報を取得し、
介入と当該介入に関する情報とを対応付けた情報に基づいて、介入の効果を評価する際に用いられる単位で、前記履歴情報に含まれる介入を分類し、
分類された単位で、前記履歴情報に含まれる介入を示す情報を表示する
ことを含む、医用情報処理方法。
【発明の詳細な説明】
【技術分野】
【０００１】
本発明の実施形態は、医用情報処理装置及び医用情報処理方法に関する。
【背景技術】
【０００２】
近年、医療技術の高度化によって、日々の診療で取得される診療データの種類及び数が増加しており、医師が診療データを参照して診断や治療方針を判断する方法も複雑化してきている。このことから、例えば、医師が診断や治療方針を検討するために必要な種々の診療データを一つの画面上で時系列に沿って表示するシステムが望まれている。
【先行技術文献】
【特許文献】
【０００３】
【特許文献１】特開２０１５−１９７７３７号公報
【特許文献２】特開２０１５−２２８１０３号公報
【特許文献３】特開２０１５−１４９１０３号公報
【特許文献４】特開２０１５−１０３２２０号公報
【特許文献５】特開２０１４−７１５９２号公報
【特許文献６】特開２００６−１４６８２０号公報
【発明の概要】
【発明が解決しようとする課題】
【０００４】
本発明が解決しようとする課題は、介入の効果の評価をより適切に行うための情報を提示することができる医用情報処理装置及び医用情報処理方法を提供することである。
【課題を解決するための手段】
【０００５】
実施形態に係る医用情報処理装置は、取得部と、分類部と、表示制御部とを備える。取得部は、被検体に施された介入の履歴を示す履歴情報を取得する。分類部は、介入と当該介入に関する情報とを対応付けた情報に基づいて、介入の効果を評価する際に用いられる単位で、前記履歴情報に含まれる介入を分類する。表示制御部は、前記分類部によって分類された単位で、前記履歴情報に含まれる介入を示す情報を表示する。
【図面の簡単な説明】
【０００６】
【図１】図１は、第１の実施形態に係る医用情報処理装置の構成例を示す図である。
【図２】図２は、第１の実施形態に係る取得機能によって生成されるオーダテーブルの一例を示す図である。
【図３】図３は、第１の実施形態に係る取得機能によって生成される介入テーブルの一例を示す図である。
【図４】図４は、第１の実施形態に係る取得機能によって生成される介入マスタテーブルの一例を示す図である。
【図５】図５は、第１の実施形態に係る取得機能によって生成される効能・効果テーブルの一例を示す図である。
【図６】図６は、第１の実施形態に係る取得機能によって生成される患者テーブルの一例を示す図である。
【図７】図７は、第１の実施形態に係る取得機能によって生成されるレスポンステーブルの一例を示す図である。
【図８】図８は、第１の実施形態に係る分類機能によって行われる介入の分類の一例を示す図である。
【図９】図９は、第１の実施形態に係る分類機能によって行われる介入の分類の一例を示す図である。
【図１０】図１０は、第１の実施形態に係る分類機能によって行われる介入の分類の処理手順を示すフローチャートである。
【図１１】図１１は、第１の実施形態に係る分類機能によって行われる介入の分類の処理手順を示すフローチャートである。
【図１２】図１２は、第１の実施形態に係る分類機能によって得られる分類結果の一例を示す図である。
【図１３】図１３は、第１の実施形態に係る導出機能によって行われる介入の開始時期及び終了時期の導出の処理手順を示すフローチャートである。
【図１４】図１４は、第１の実施形態に係る導出機能によって行われる介入の開始時期及び終了時期の導出の一例を示す図である。
【図１５】図１５は、第１の実施形態に係る導出機能によって行われる介入の開始時期及び終了時期の導出の一例を示す図である。
【図１６】図１６は、第１の実施形態に係る表示制御機能によって表示される情報の一例を示す図である。
【図１７】図１７は、第１の実施形態に係る表示制御機能によって表示される情報の他の一例を示す図である。
【図１８】図１８は、第１の実施形態に係る表示制御機能によって表示される情報の他の一例を示す図である。
【図１９】図１９は、第１の変形例に係る介入マスタテーブルの一例を示す図である。
【図２０】図２０は、第１の変形例に係る分類機能によって行われる効能又は効果に関する分類の構築の一例を示す図である。
【図２１】図２１は、第１の変形例に係る効能・効果テーブルの一例を示す図である。
【図２２】図２２は、第１の変形例に係る分類機能によって行われる効能又は効果に関する分類の構築の他の一例を示す図である。
【図２３】図２３は、第２の実施形態に係る表示制御機能によって表示される情報の一例を示す図である。
【図２４】図２４は、第２の実施形態に係る表示制御機能によって表示される情報の他の一例を示す図である。
【図２５】図２５は、第２の実施形態に係る表示制御機能によって表示される情報の他の一例を示す図である。
【図２６】図２６は、第２の変形例に係る継続期間テーブルの一例を示す図である。
【図２７】図２７は、第２の変形例に係る導出機能によって行われる介入の開始時期及び終了時期の導出の処理手順を示すフローチャートである。
【図２８】図２８は、第２の変形例に係る表示制御機能によって表示される情報の一例を示す図である。
【発明を実施するための形態】
【０００７】
以下、図面を参照しながら、医用情報処理装置及び医用情報処理方法の実施形態について詳細に説明する。
【０００８】
（第１の実施形態）
図１は、第１の実施形態に係る医用情報処理装置の構成例を示す図である。
【０００９】
例えば、図１に示すように、本実施形態に係る医用情報処理装置１００は、ネットワーク２００を介して、電子カルテ保管装置３００と通信可能に接続される。例えば、医用情報処理装置１００及び電子カルテ保管装置３００は、病院等に設置され、院内ＬＡＮ等のネットワーク２００によって相互に接続される。
【００１０】
電子カルテ保管装置３００は、病院等で行われた各種の診療に関する診療データを保管する。例えば、電子カルテ保管装置３００は、病院等で導入されている電子カルテシステムの一部として設置され、電子カルテシステムによって生成された診療データを保管する。例えば、電子カルテ保管装置３００は、ＤＢ（Database）サーバ等のコンピュータ機器によって実現され、ＲＡＭ（Random  Access  Memory）、フラッシュメモリ等の半導体メモリ素子や、ハードディスク、光ディスク等の記憶回路に診療データを記憶させる。
【００１１】
医用情報処理装置１００は、ネットワーク２００を介して電子カルテ保管装置３００から診療データを取得し、取得した診療データを用いて各種情報処理を行う。例えば、医用情報処理装置１００は、ワークステーション等のコンピュータ機器によって実現される。
【００１２】
具体的には、医用情報処理装置１００は、Ｉ／Ｆ（インターフェース）回路１１０と、記憶回路１２０と、入力回路１３０と、ディスプレイ１４０と、処理回路１５０とを有する。
【００１３】
Ｉ／Ｆ回路１１０は、処理回路１５０に接続され、電子カルテ保管装置３００との間で行われる各種データの伝送及び通信を制御する。例えば、Ｉ／Ｆ回路１１０は、電子カルテ保管装置３００から診療データを受信し、受信した診療データを処理回路１５０に出力する。例えば、Ｉ／Ｆ回路１１０は、ネットワークカードやネットワークアダプタ、ＮＩＣ（Network  Interface  Controller）等によって実現される。
【００１４】
記憶回路１２０は、処理回路１５０に接続され、各種データを記憶する。例えば、記憶回路１２０は、電子カルテ保管装置３００から受信した診療データを記憶する。例えば、記憶回路１２０は、ＲＡＭ（Random  Access  Memory）、フラッシュメモリ等の半導体メモリ素子や、ハードディスク、光ディスク等によって実現される。
【００１５】
入力回路１３０は、処理回路１５０に接続され、操作者から受け付けた入力操作を電気信号に変換して処理回路１５０に出力する。例えば、入力回路１３０は、トラックボール、スイッチボタン、マウス、キーボード、タッチパネル等によって実現される。
【００１６】
ディスプレイ１４０は、処理回路１５０に接続され、処理回路１５０から出力される各種情報及び各種画像データを表示する。例えば、ディスプレイ１４０は、液晶モニタやＣＲＴ（Cathode  Ray  Tube）モニタ、タッチパネル等によって実現される。
【００１７】
処理回路１５０は、入力回路１３０を介して操作者から受け付けた入力操作に応じて、医用情報処理装置１００の構成要素を制御する。例えば、処理回路１５０は、Ｉ／Ｆ回路１１０から出力される診療データを記憶回路１２０に記憶させる。また、例えば、処理回路１５０は、記憶回路１２０から診療データを読み出し、ディスプレイ１４０に表示する。例えば、処理回路１５０は、プロセッサによって実現される。
【００１８】
以上、本実施形態に係る医用情報処理装置１００の全体構成について説明した。このような構成のもと、本実施形態に係る医用情報処理装置１００は、介入の効果の評価をより適切に行うための情報を提示する機能を有する。
【００１９】
ここで、「介入」とは、医療目的や研究目的のために、医師や技師等の医療従事者によって被検体に対して行われる行為であって、医療従事者が制御可能な行為である。例えば、介入は、投薬、食事、リハビリ、手術、血管内治療、放射線治療等である。
【００２０】
具体的には、本実施形態では、処理回路１５０が、取得機能１５１と、分類機能１５２と、導出機能１５３と、表示制御機能１５４とを有する。なお、取得機能１５１は、特許請求の範囲における取得部の一例である。また、分類機能１５２は、特許請求の範囲における分類部の一例である。また、導出機能１５３は、特許請求の範囲における導出部の一例である。また、表示制御機能１５４は、特許請求の範囲における表示制御部の一例である。
【００２１】
ここで、処理回路１５０が有する各処理機能は、例えば、コンピュータによって実行可能なプログラムの形態で記憶回路１２０に記憶される。処理回路１５０は、各プログラムを記憶回路１２０から読み出し、読み出した各プログラムを実行することで、各プログラムに対応する処理機能を実現する。換言すると、各プログラムを読み出した状態の処理回路１５０は、図１に示した各処理機能を有することとなる。
【００２２】
取得機能１５１は、被検体に施された介入の履歴を示す履歴情報を取得する。なお、以下では、被検体を患者として説明する。
【００２３】
例えば、取得機能１５１は、電子カルテ保管装置３００から、オーダ情報と、介入マスタ情報と、患者情報と、レスポンス情報とを取得する。そして、取得機能１５１は、取得した各情報を記憶回路１２０に記憶させる。
【００２４】
ここで、オーダ情報は、電子カルテシステムや部門オーダリングシステム等で発行されたオーダに関する情報であり、患者に施された介入の履歴を含む。また、介入マスタ情報は、投薬、食事、リハビリ、手術、血管内治療、放射線治療等の介入それぞれについて介入と当該介入に関する情報とを対応付けた情報である。また、患者情報は、電子カルテシステム等で登録された患者に関する情報である。また、レスポンス情報は、介入が施された後の患者のレスポンス（検査結果、所見等）を示す情報である。
【００２５】
例えば、取得機能１５１は、電子カルテ保管装置３００から取得した各情報をそれぞれ適切なフォーマットに変換してテーブルを生成し、生成したテーブルを記憶回路１２０に記憶させる。なお、ここでは、各テーブルに含まれる情報が電子カルテ保管装置３００に保管されている情報から直接的に得られるものとするが、実施形態はこれに限られない。例えば、各テーブルに含まれる情報に、電子カルテ保管装置３００に保管されている情報から直接的に得られないものが含まれている場合には、取得機能１５１は、変換用のテーブルを用いて情報を変換したうえでテーブルを生成してもよい。その場合には、変換用のテーブルは、予め記憶回路１２０に記憶される。
【００２６】
例えば、取得機能１５１は、電子カルテ保管装置３００から取得したオーダ情報に基づいて、オーダテーブルと、介入テーブルとを生成する。また、例えば、取得機能１５１は、電子カルテ保管装置３００から取得した介入マスタ情報に基づいて、介入マスタテーブルと、効能・効果テーブルとを生成する。また、例えば、取得機能１５１は、電子カルテ保管装置３００から取得した患者情報に基づいて、患者テーブルを生成する。また、例えば、取得機能１５１は、電子カルテ保管装置３００から取得したレスポンス情報に基づいて、レスポンステーブルを生成する。
【００２７】
図２は、第１の実施形態に係る取得機能１５１によって生成されるオーダテーブルの一例を示す図である。
【００２８】
例えば、図２に示すように、オーダテーブルは、データ項目として、オーダＩＤと、患者ＩＤと、発行日時と、開始日時と、介入マスタＩＤと、用法・用量と、回数・日数とを含む。ここで、オーダＩＤには、オーダを一意に識別する識別情報が設定される。また、患者ＩＤには、当該オーダの対象となる患者を一意に識別する患者情報が設定される（患者テーブルに設定される患者ＩＤと対応）。また、発行日時には、当該オーダが発行された日時が設定される。また、開始日時には、当該オーダの開始日時が設定される。また、介入マスタＩＤには、当該オーダとして患者に施される介入を一意に識別する識別情報が設定される（介入マスタテーブルに設定される介入マスタＩＤと対応）。また、用法・用量には、当該オーダとして患者に施される介入に関する用法（例えば、薬剤の投与タイミング等）や用量（例えば、薬剤の投与量等）が設定される。また、回数・日数には、当該オーダとして患者に施される介入に関する回数（例えば、薬剤の投与回数等）や日数（例えば、薬剤の投与期間等）が設定される。
【００２９】
図３は、第１の実施形態に係る取得機能１５１によって生成される介入テーブルの一例を示す図である。
【００３０】
例えば、図３に示すように、介入テーブルは、データ項目として、介入ＩＤと、オーダＩＤと、日時と、介入マスタＩＤと、期間とを含む。ここで、介入ＩＤには、オーダテーブルに設定された開始日時及び回数・日数に基づいて、オーダテーブルに含まれる介入を時系列に展開した情報が設定される。具体的には、介入ＩＤには、時系列に展開された介入それぞれを一意に識別する識別情報が設定される。また、オーダＩＤには、当該介入に対応するオーダＩＤが設定される。また、日時には、時系列に展開された介入それぞれの開始日時が設定される。また、介入マスタＩＤには、当該介入に対応する介入マスタＩＤが設定される。また、期間には、時系列に展開された介入それぞれの実施期間が設定される。
【００３１】
図４は、第１の実施形態に係る取得機能１５１によって生成される介入マスタテーブルの一例を示す図である。
【００３２】
例えば、図４に示すように、介入マスタテーブルは、データ項目として、介入マスタＩＤと、介入種と、内容と、効能・効果ＩＤとを含む。ここで、介入マスタＩＤには、介入を一意に識別する識別情報が設定される。また、介入種には、当該介入の種別を示す情報が設定される。また、内容には、当該介入の内容を示す情報が設定される（例えば、薬剤の名称等）。また、効能・効果ＩＤには、当該介入に関する効能又は効果を一意に識別する識別情報が設定される（効能・効果テーブルに設定される効能・効果ＩＤと対応）。
【００３３】
図５は、第１の実施形態に係る取得機能１５１によって生成される効能・効果テーブルの一例を示す図である。
【００３４】
例えば、図５に示すように、効能・効果テーブルは、データ項目として、効能・効果ＩＤと、大分類と、中分類と、小分類とを含む。ここで、効能・効果テーブルには、介入に関する効能又は効果について、それぞれに大きさの異なる複数の分類（大分類、中分類、小分類）を対応付けた情報が設定される。具体的には、効能・効果ＩＤには、効能又は効果を一意に識別する識別情報が設定される。また、大分類には、効能・効果ＩＤの大分類を示す情報が設定される。また、中分類には、効能・効果ＩＤの中分類を示す情報が設定される。また、小分類には、効能・効果ＩＤの小分類を示す情報が設定される。
【００３５】
例えば、介入が薬剤に関するものである場合には、効能・効果テーブルに設定される各分類は、厚生労働省によって定められた「類似薬選定のための薬剤分類」（http://www.mhlw.go.jp/file/05-Shingikai-12404000-Hokenkyoku-Iryouka/0000029403.pdfを参照）に基づいて設定される。また、例えば、各分類は、一般名処方マスタ（厚生労働省）や、後発医薬品リスト(日本ジェネリック製薬協会)、各病院で用いられている薬剤リスト等に基づいて設定されてもよい。
【００３６】
図６は、第１の実施形態に係る取得機能１５１によって生成される患者テーブルの一例を示す図である。
【００３７】
例えば、図６に示すように、患者テーブルは、データ項目として、患者ＩＤと、氏名とを含む。ここで、患者ＩＤには、患者を一意に識別する患者情報が設定される。また、氏名には、当該患者の氏名を示す情報が設定される。
【００３８】
図７は、第１の実施形態に係る取得機能１５１によって生成されるレスポンステーブルの一例を示す図である。
【００３９】
例えば、図７に示すように、レスポンステーブルは、データ項目として、レスポンスＩＤと、患者ＩＤと、測定日時と、種類と、値とを含む。ここで、レスポンスＩＤには、レスポンスを一意に識別する識別情報が設定される。また、患者ＩＤには、患者を一意に識別する患者情報が設定される（患者テーブルに設定される患者ＩＤと対応）。また、測定日時には、当該レスポンスとして検査値を測定した日時が設定される。また、種類には、当該レスポンスとして測定された検査値の種類（例えば、血圧（拡張期血圧：Ｌｏｗ、収縮期血圧：Ｈｉｇｈ）、心拍数、体温等）を示す情報が設定される。また、値には、当該レスポンスとして測定された検査値が設定される。
【００４０】
なお、例えば、取得機能１５１が上述した各情報を電子カルテ保管装置３００から取得する処理は、以下で説明する分類機能１５２、導出機能１５３、及び表示制御機能１５４によって行われる処理とは非同期で実施される。ここで、取得機能１５１によって行われる処理は、例えば、処理回路１５０が取得機能１５１に対応する所定のプログラムを記憶回路１２０から読み出して実行することにより実現される。
【００４１】
また、ここでは、取得機能１５１が、介入マスタ情報を電子カルテ保管装置３００から取得する場合の例を説明したが、実施形態はこれに限られない。例えば、介入マスタテーブル及び効能・効果テーブルに記憶される情報の変更が少ないような場合には、システムの管理者等が、電子カルテ保管装置３００に登録されている介入マスタ情報をもとに手動で介入マスタテーブル及び効能・効果テーブルを作成又は更新して、記憶回路１２０に記憶させるようにしてもよい。
【００４２】
図１に戻って、分類機能１５２は、介入と当該介入に関する情報とを対応付けた情報に基づいて、介入の効果を評価する際に用いられる単位で、取得機能１５１によって取得された履歴情報に含まれる介入を分類する。ここで、介入の効果を評価する際に用いられる単位は、例えば、薬剤のオーダ、薬剤の実施、薬剤の名称、薬剤の効能、薬剤の投与量、薬剤の投薬方法、介入の指示者、介入の実施者等である。
【００４３】
図８及び９は、第１の実施形態に係る分類機能１５２によって行われる介入の分類の一例を示す図である。
【００４４】
例えば、図８に示すように、分類機能１５２は、取得機能１５１によって取得されたオーダ情報（オーダテーブル及び介入テーブル）に含まれている介入を、介入マスタＩＤが同じグループ８１と、効能・効果が同じグループ８２と、介入種が同じグループ８３とに分類する。ここで、分類機能１５２が介入をグループ分けする際の分類は、介入の効果を評価する際に用いられる単位で定義される。
【００４５】
また、各分類は、それぞれの大きさが段階的に変化するような階層構造で定義される。例えば、図９に示すように、介入の分類は、複数の階層１〜４で定義され、上位の階層になるにつれて大きな分類となるように定義される。例えば、介入マスタＩＤによる分類８１が「階層１」として定義される場合に、効能・効果による分類８２は、「階層１」より上位の「階層２」として定義され、介入種による分類８３は、「階層２」より上位の「階層３」として定義される。
【００４６】
図１０及び１１は、第１の実施形態に係る分類機能１５２によって行われる介入の分類の処理手順を示すフローチャートである。
【００４７】
例えば、図１０に示すように、分類機能１５２は、処理の対象となる患者に施された介入の介入ＩＤを取得する（ステップＳ１００）。
【００４８】
具体的には、分類機能１５２は、まず、オーダテーブルを参照して、対象となる患者の患者ＩＤに対応付けられているオーダＩＤを特定する。また、分類機能１５２は、介入テーブルを参照して、特定した各オーダＩＤに対応付けられている介入ＩＤを取得する。
【００４９】
続いて、分類機能１５２は、取得した介入ＩＤを介入マスタＩＤごとに分類する（ステップＳ２００）。
【００５０】
具体的には、分類機能１５２は、まず、介入マスタテーブルを参照して、介入マスタＩＤを一つ選択する。そして、分類機能１５２は、介入テーブルを参照して、ステップＳ１００で取得した介入ＩＤの中から、選択した介入マスタＩＤに対応する介入ＩＤを取得する。そして、分類機能１５２は、取得した介入ＩＤの集合と、予め介入マスタＩＤごとに決められた分類ＩＤとを対応付けた情報を分類結果として生成する。その後、分類機能１５２は、介入マスタテーブルをさらに参照して、全ての介入マスタＩＤについて同様の処理を行い、各介入マスタＩＤに対応する介入ＩＤの集合と、予め介入マスタＩＤごとに決められた分類ＩＤとを対応付けた情報を分類結果に追加する。
【００５１】
続いて、分類機能１５２は、取得した介入ＩＤを効能・効果ＩＤごとに分類する（ステップＳ３００）。
【００５２】
具体的には、図１１に示すように、分類機能１５２は、まず、効能・効果テーブルを参照して、小分類を一つ選択する（ステップＳ３０１）。その後、分類機能１５２は、介入テーブル及び介入マスタテーブルを参照して、ステップＳ１００で取得した介入ＩＤの中に、選択した小分類に対応する介入ＩＤがあるか否かを判定する（ステップＳ３０２）。
【００５３】
そして、対応する介入ＩＤがあった場合には（ステップＳ３０２，Ｙｅｓ）、分類機能１５２は、対応した介入ＩＤの集合と、予め小分類ごとに決められた分類ＩＤとを対応付けた情報を分類結果に追加する（ステップＳ３０３）。一方、対応する介入ＩＤがなかった場合には（ステップＳ３０２，Ｎｏ）、分類機能１５２は、分類結果に情報を追加せずに、介入マスタテーブルをさらに参照して、全ての小分類を選択したか否かを判定する（ステップＳ３０４）。
【００５４】
ここで、まだ全ての小分類を選択していない場合には（ステップＳ３０４，Ｎｏ）、分類機能１５２は、他の小分類を一つ選択する（ステップＳ３０１に戻る）。一方、既に全ての小分類を選択していた場合には（ステップＳ３０４，Ｙｅｓ）、分類機能１５２は、階層を一つ増加した後に（ステップＳ３０５）、中分類を一つ選択する（ステップＳ３０６）。
【００５５】
その後、分類機能１５２は、介入テーブル及び介入マスタテーブルを参照して、ステップＳ１００で取得した介入ＩＤの中に、選択した中分類に対応する介入ＩＤがあるか否かを判定する（ステップＳ３０７）。
【００５６】
そして、対応する介入ＩＤがあった場合には（ステップＳ３０７，Ｙｅｓ）、分類機能１５２は、対応した介入ＩＤの集合と、予め中分類ごとに決められた分類ＩＤとを対応付けた情報を分類結果に追加する（ステップＳ３０８）。一方、対応する介入ＩＤがなかった場合には（ステップＳ３０７，Ｎｏ）、分類機能１５２は、分類結果に情報を追加せずに、介入マスタテーブルをさらに参照して、全ての中分類を選択したか否かを判定する（ステップＳ３０９）。
【００５７】
ここで、まだ全ての中分類を選択していない場合には（ステップＳ３０９，Ｎｏ）、分類機能１５２は、他の中分類を一つ選択する（ステップＳ３０６に戻る）。一方、既に全ての中分類を選択していた場合には（ステップＳ３０９，Ｙｅｓ）、分類機能１５２は、階層を一つ増加した後に（ステップＳ３１０）、大分類を一つ選択する（ステップＳ３１１）。
【００５８】
その後、分類機能１５２は、介入テーブル及び介入マスタテーブルを参照して、ステップＳ１００で取得した介入ＩＤの中に、選択した大分類に対応する介入ＩＤがあるか否かを判定する（ステップＳ３１２）。
【００５９】
そして、対応する介入ＩＤがあった場合には（ステップＳ３１２，Ｙｅｓ）、分類機能１５２は、対応した介入ＩＤの集合と、予め大分類ごとに決められた分類ＩＤとを対応付けた情報を分類結果に追加する（ステップＳ３１３）。一方、対応する介入ＩＤがなかった場合には（ステップＳ３１２，Ｎｏ）、分類機能１５２は、分類結果に情報を追加せずに、介入マスタテーブルをさらに参照して、全ての大分類を選択したか否かを判定する（ステップＳ３１４）。
【００６０】
ここで、まだ全ての大分類を選択していない場合には（ステップＳ３１４，Ｎｏ）、分類機能１５２は、他の大分類を一つ選択する（ステップＳ３１０に戻る）。一方、既に全ての大分類を選択していた場合には（ステップＳ３１４，Ｙｅｓ）、分類機能１５２は、階層を一つ増加した後に（ステップＳ３１５）、介入ＩＤを効能・効果ＩＤごとに分類する処理を終了する。
【００６１】
続いて、図１０に戻って、分類機能１５２は、取得した介入ＩＤを介入種ごとに分類する（ステップＳ４００）。
【００６２】
具体的には、分類機能１５２は、まず、介入マスタテーブルを参照して、介入種を一つ選択する。そして、分類機能１５２は、介入テーブルを参照して、ステップＳ１００で取得した介入ＩＤの中から、選択した介入種に対応する介入ＩＤを取得する。そして、分類機能１５２は、取得した介入ＩＤの集合と、予め介入種ごとに決められた分類ＩＤとを対応付けた情報を分類結果として生成する。その後、分類機能１５２は、介入マスタテーブルをさらに参照して、全ての介入種について同様の処理を行い、各介入マスタＩＤに対応する介入ＩＤの集合と、予め介入種ごとに決められた分類ＩＤとを対応付けた情報を分類結果に追加する。
【００６３】
ここで、上述したステップＳ１００〜Ｓ４００及びＳ３０１〜Ｓ３１５の処理は、例えば、処理回路１５０が分類機能１５２に対応する所定のプログラムを記憶回路１２０から読み出して実行することにより実現される。
【００６４】
なお、図１０に示した処理手順では、ステップＳ２００、ステップＳ３００及びステップＳ４００の順で各処理が実行される場合の例を説明したが、これらの処理の処理順はこれに限られず、順序が入れ替わってもよい。
【００６５】
また、ここでは、分類機能１５２が、介入を介入マスタＩＤごと、効能又は効果の大分類、中分類、小分類ごと、介入種ごとに分類する場合の例を説明したが、実施形態はこれに限られず、これらの分類以外の分類の単位で、介入を分類してもよい。
【００６６】
例えば、分類機能１５２は、さらに、薬剤ごとに介入を分類してもよい。薬剤の中には、ロキソニン錠６０ｇやロキソニン錠３０ｇのように、同じ薬剤でも成分の含有量が異なる場合がある。このような薬剤に関する介入の効果を行う際には、成分の含有量が異なっていても、一つにまとめた単位で効果を評価することが望まれる場合もあり得る。このような場合に、薬剤ごとに介入を分類しておくことで、介入の効果の評価をより適切に行うことができるようになる。
【００６７】
図１２は、第１の実施形態に係る分類機能１５２によって得られる分類結果の一例を示す図である。
【００６８】
例えば、図１２に示すように、分類機能１５２によって得られる分類結果には、データ項目として、分類ＩＤと、階層と、介入ＩＤと、タイトルとが含まれる。ここで、分類ＩＤには、予め、介入マスタテーブルの介入マスタＩＤ、効能・効果テーブルの大分類、中分類及び小分類、並びに、介入マスタテーブルの介入種ごとに決められた分類ＩＤが設定される。また、階層には、当該分類ＩＤに対応するグループに定義された階層を示す数値が設定される。また、介入ＩＤには、当該分類ＩＤに対応付けられた介入ＩＤの集合が設定される。また、タイトルには、当該分類ＩＤの内容を示す情報が設定される。
【００６９】
なお、ここでは、複数の介入を分類ごとにまとめる場合の例を説明したが、実施形態はこれに限られない。例えば、分類機能１５２は、一つの介入を一つの単位に分類してもよいし、一つの介入を複数の単位に分けて分類してもよい。
【００７０】
例えば、分類機能１５２は、オーダ情報（オーダテーブル及び介入テーブル）において、一つの介入マスタＩＤがただ一つの介入（介入ＩＤ）に対応付けられていた場合には、当該介入を一つの単位として分類する。同様に、例えば、分類機能１５２は、効能・効果ＩＤ又は介入種がただ一つの介入（介入ＩＤ）に対応付けられていた場合に、当該介入を一つの単位として分類する。
【００７１】
また、例えば、分類機能１５２は、オーダ情報（オーダテーブル及び介入テーブル）において、複数の介入マスタＩＤが一つの介入（介入ＩＤ）に対応付けられていた場合には、当該介入を複数の単位に分けて分類する。同様に、例えば、分類機能１５２は、複数の効能・効果ＩＤ又は複数の介入種が一つの介入（介入ＩＤ）に対応付けられていた場合に、当該介入を複数の単位に分けて分類する。
【００７２】
図１に戻って、導出機能１５３は、取得機能１５１によって取得された履歴情報に含まれる一連の介入を当該介入の時間的な連続性に基づいてまとめる。
【００７３】
例えば、導出機能１５３は、分類機能１５２による分類結果に基づいて、取得機能１５１によって取得された履歴情報に含まれる一連の介入の開始時期及び終了時期を導出する。なお、本実施形態では、導出機能１５３が、開始時期として開始日時を導出し、終了時期として終了日時を導出する場合の例を説明する。
【００７４】
図１３は、第１の実施形態に係る導出機能１５３によって行われる介入の開始時期及び終了時期の導出の処理手順を示すフローチャートである。
【００７５】
例えば、図１３に示すように、導出機能１５３は、分類機能１５２によって得られた分類結果を参照して（図１２を参照）、分類ＩＤを一つ選択する（ステップＳ５０１）。
【００７６】
続いて、導出機能１５３は、分類機能１５２によって得られた分類結果を参照して、選択した分類ＩＤに対応付けられている介入ＩＤを取得し、取得した介入ＩＤを時系列に並べる（ステップＳ５０２）。
【００７７】
その後、導出機能１５３は、時系列に並べた介入ＩＤそれぞれについて、介入テーブルに設定されている日時、介入マスタＩＤ及び期間に基づいて、介入の開始日時及び終了日時を導出する（ステップＳ５０３）。
【００７８】
ここで、導出機能１５３は、時系列に並べられた介入ＩＤそれぞれに対応付けられている日時、介入マスタＩＤ及び期間を時系列順に参照し、予め決められた条件に基づいて、介入の開始日時及び終了日時を導出する。
【００７９】
このとき、例えば、導出機能１５３は、介入マスタＩＤが変更になった場合に、一連の介入が終了したと判定する。また、例えば、導出機能１５３は、日時について朝−昼−夕の繰り返しが途切れた場合に、一連の介入が終了したと判定する。また、例えば、導出機能１５３は、期間が変更になった場合に、一連の介入が終了したと判定する。
【００８０】
そして、導出機能１５３は、介入が終了したと判定するごとに、それまでの一連の介入をまとめた単位で、介入の開始日時及び終了日時を導出する。
【００８１】
なお、これらの条件が用いられる場合に、例えば、導出機能１５３は、介入マスタＩＤが変更になったが、期間が継続しているときには、介入が終了したと判定しないようにしてもよい。また、例えば、導出機能１５３は、介入マスタＩＤが変更になったが、日時について朝−昼−夕の繰り返しが継続しているときには、介入が終了したと判定しないようにしてもよい。また、例えば、導出機能１５３は、日時について朝−昼−夕の繰り返しが途切れたが、途切れたのが一回だけであるときには（例えば、朝が一回ないだけ、等）、介入が終了したと判定しないようにしてもよい。
【００８２】
その後、導出機能１５３は、介入テーブルをさらに参照して、全ての分類ＩＤを選択したか否かを判定する（ステップＳ５０４）。
【００８３】
ここで、まだ全ての分類ＩＤを選択していない場合には（ステップＳ５０４，Ｎｏ）、導出機能１５３は、他の分類ＩＤを一つ選択する（ステップＳ５０１に戻る）。一方、既に全ての分類ＩＤを選択していた場合には（ステップＳ５０４，Ｙｅｓ）、導出機能１５３は、介入の開始日時及び終了日時を導出する処理を終了する。
【００８４】
図１４及び１５は、第１の実施形態に係る導出機能１５３によって行われる介入の開始時期及び終了時期の導出の一例を示す図である。
【００８５】
例えば、図１４に示すように、時系列に並べられた介入ＩＤ：「Ｉ＿０００１００１」〜「Ｉ＿０００１０１２」のうち、「Ｉ＿０００１００４」と「Ｉ＿０００１００５」との間で、介入マスタＩＤが「ＭＩ＿０００３」から「ＭＩ＿０００４」に変更になっていたとする。この場合には、介入マスタＩＤが「ＭＩ＿０００３」である介入ＩＤ：「Ｉ＿０００１００１」〜「Ｉ＿０００１００４」のうちの最初の「Ｉ＿０００１００１」に対応する日時：「２０１６／１１／０１  ０９：００」が、当該介入の開始日時となる。また、介入マスタＩＤが「ＭＩ＿０００３」である介入ＩＤ：「Ｉ＿０００１００１」〜「Ｉ＿０００１００４」のうちの最後の「Ｉ＿０００１００４」に対応する日時：「２０１６／１１／０４  ０９：００」に期間：２４Ｈを加算した「２０１６／１１／０５  ０９：００」が、当該介入の終了日時となる。
【００８６】
さらに、時系列に並べられた介入ＩＤ：「Ｉ＿０００１００１」〜「Ｉ＿０００１０１２」のうち、「Ｉ＿０００１００９」と「Ｉ＿０００１０１０」との間で、朝−昼−夕の繰り返しが途絶えていたとする（１１／０７の朝（８：００）がない）。この場合には、朝−昼−夕の繰り返しが継続している介入ＩＤ：「Ｉ＿０００１００５」〜「Ｉ＿０００１００９」のうちの最初の「Ｉ＿０００１００５」に対応する日時：「２０１６／１１／０５  １３：００」が、当該介入の開始日時となる。また、朝−昼−夕の繰り返しが継続している介入ＩＤ：「Ｉ＿０００１００５」〜「Ｉ＿０００１００９」のうちの最後の「Ｉ＿０００１００９」に対応する日時：「２０１６／１１／０６  １８：００」に期間：０Ｈを加算した「２０１６／１１／０６  １８：００」が、当該介入の終了日時となる。
【００８７】
この結果、例えば、図１５に示すように、分類ＩＤ：「Ｃ＿００１」について、一連の介入の開始日時として「２０１６／１１／０１  ０９：００」が導出され、終了日時として「２０１６／１１／０５  ０９：００」が導出される。さらに、分類ＩＤ：「Ｃ＿００１」について、次の一連の介入の開始日時として「２０１６／１１／０５  １３：００」が導出され、終了日時として「２０１６／１１／０６  １８：００」が導出される。
【００８８】
図１に戻って、表示制御機能１５４は、分類機能１５２によって分類された単位で、取得機能１５１によって取得された履歴情報に含まれる介入を示す情報を表示する。
【００８９】
本実施形態では、表示制御機能１５４は、導出機能１５３によってまとめられた単位を示す情報を表示する。
【００９０】
例えば、表示制御機能１５４は、導出機能１５３によって導出された一連の介入の開始時期及び終了時期を示す情報を表示する。また、表示制御機能１５４は、取得機能１５１によって取得された履歴情報に含まれる介入を示す情報と関連付けて、当該介入が施された後の患者のレスポンスを示す情報をさらに表示する。
【００９１】
図１６は、第１の実施形態に係る表示制御機能１５４によって表示される情報の一例を示す図である。
【００９２】
例えば、図１６に示すように、表示制御機能１５４は、介入に関する情報を表示するための介入表示領域４１０と、レスポンスに関する情報を表示するためのレスポンス表示領域４２０とを上下に並べてディスプレイ１４０に表示する。ここで、介入表示領域４１０及びレスポンス表示領域４２０は、それぞれ、Ｘ軸（横方向の軸）及びＹ軸（縦方向の軸）を有しており、各領域の横軸は日時を表している。
【００９３】
そして、表示制御機能１５４は、分類機能１５２によって得られた分類結果に基づいて、介入表示領域４１０に、分類された単位で、開始日時及び終了日時を示す情報を表示する。例えば、図１６に示すように、表示制御機能１５４は、効能・効果が同じ薬剤に関する介入の単位ごとに、開始日時と終了日時とを結ぶ線を同一行に表示する。ここで、図１６に示す３本の線４１１〜４１３のうち、上から１番目の線４１１は、「強心剤」の介入の開始日時及び終了日時を示しており、上から２番目の線４１２は、「利尿剤」の介入の開始日時及び終了日時を示しており、上から３番目の線４１３は、「β遮断薬」の介入の開始日時及び終了日時を示している。
【００９４】
また、表示制御機能１５４は、レスポンステーブル及び患者テーブルを参照して、対象となる患者のレスポンスに関する情報（検査値を測定した日時、検査値の種類、検査値等）を取得し、取得した情報をレスポンス表示領域４２０に表示する。例えば、図１６に示すように、表示制御機能１５４は、レスポンステーブルに設定されている測定日時、種類及び値を参照して、対象となる患者の血圧値を時系列に表示する。
【００９５】
このように、表示制御機能１５４が、介入の効果を評価する際に用いられる単位で、介入の開始時期及び終了時期を示す情報を表示することによって、一連の介入が視覚的に分かりやすくなる。これにより、操作者が、介入の効果の評価を簡単に実施できるようになる。
【００９６】
ここで、表示制御機能１５４は、介入の期間に一致する時間範囲のレスポンスを示す情報を表示する。
【００９７】
例えば、表示制御機能１５４は、入力回路１３０を介して、介入表示領域４１０に表示された開始日時と終了日時とを結ぶ線の中からいずれか一つを選択する操作を操作者から受け付ける。そして、表示制御機能１５４は、当該操作を受け付けた場合に、レスポンス表示領域４２０上で、操作者によって選択された線に対応する開始日時から終了日時までの範囲を他の範囲と区別可能に表示する。例えば、図１６に示すように、表示制御機能１５４は、「β遮断薬」の介入に関する線４１３が選択された場合に、レスポンス表示領域４２０上で、選択された線４１３に対応する開始日時から終了日時までの範囲４２１を他の範囲とは異なる色で強調表示する。
【００９８】
このように、表示制御機能１５４が、介入を示す情報と関連付けて、当該介入が施された後の患者のレスポンスを示す情報を表示することによって、操作者が、介入の一単位ごとに、レスポンスとの比較を容易に行うことができるようになる。また、操作者が、介入によって実際に効果があったのかを容易に把握できるようになり、次に実施すべき処置や治療内容を適切に判断できるようになる。
【００９９】
さらに、例えば、表示制御機能１５４は、分類機能１５２によって介入が複数の単位に分類された場合に、当該単位をそれぞれ視覚的に識別可能に表示してもよい。
【０１００】
この場合に、例えば、表示制御機能１５４は、複数の単位が同時に表現されるように、開始日時と終了日時とを結ぶ線の表示態様を変えたり、開始日時と終了日時とを結ぶ線の途中にマークを表示したりする。
【０１０１】
図１７及び１８は、第１の実施形態に係る表示制御機能１５４によって表示される情報の他の一例を示す図である。
【０１０２】
例えば、表示制御機能１５４は、図１７に示す「強心剤」の介入に関する線４１４のように、介入種が「注射」から「内服」に変更になった時点が分かるように、その時点を境に開始日時と終了日時とを結ぶ線の表示態様（例えば、線の太さや色等）を変える。また、例えば、表示制御機能１５４は、図１７に示す「利尿剤」の介入に関する線４１５のように、投薬量が変更になった時点が分かるように、開始日時と終了日時とを結ぶ線の途中に、投薬量が変更になった時点を示すマーク（例えば、△、▽）を表示する。このとき、例えば、表示制御機能１５４は、投薬量が増加した時点と、投薬量が減少した時点とで、異なるマーク（例えば、色や形状が異なるマーク）を表示する。
【０１０３】
また、例えば、表示制御機能１５４は、図１８に示す「利尿剤」の介入に関する線４１６のように、開始日時と終了日時とを結ぶ線を、Ｙ軸が投薬量の変化を表すチャート状に表示してもよい。この場合には、表示制御機能１５４は、投薬量が変更になった時点で線のＹ軸方向の幅を変え、かつ、各時点での投薬量を表すように、線のＹ軸方向の幅の大きさを変える。
【０１０４】
また、例えば、表示制御機能１５４は、投薬量の変化の大きさや、効能又は効果の変化の大きさ（例えば、劇薬への変更等）に応じて、マークの大きさや色による強調表示を変えてもよい。
【０１０５】
上述したように、第１の実施形態では、分類機能１５２が、介入と当該介入に関する情報とを対応付けた情報に基づいて、介入の効果を評価する際に用いられる単位で介入を分類する。そして、表示制御機能１５４が、分類機能１５２による分類結果に基づいて、分類された単位で、介入を示す情報を表示する。したがって、第１の実施形態によれば、介入の効果の評価をより適切に行うための情報を提示することができる。
【０１０６】
例えば、従来技術の中には、投薬が行われた時点や期間をマーク等で表示し、検査結果値のグラフと併せて並べることで、投薬と検査値との比較を支援する方法も提案されている。このような従来技術では、例えば、投薬が行われた期間を表示する場合には、オーダ単位や薬剤の種類等のように、伝票処理や業務の効率化の観点の単位でまとめられることが一般的である。しかしながら、介入の効果を評価するために比較する介入の単位は、必ずしもこれらの基準とは一致しない場合もあり得る。例えば、心不全の治療のために強心剤を投与した効果を評価する場合に、オーダが切り替わっていたり、強心剤の種類が変わっていたりすると、それらが異なる期間として扱われてしまい、介入の効果の評価に適切な期間で比較ができないことがあり得る。
【０１０７】
このような従来技術に対し、上述した実施形態では、介入の効果を評価する際に用いられる単位で、介入を示す情報が表示されるので、操作者が、介入の効果の評価をより適切に行うことができるようになる。
【０１０８】
（第１の変形例）
なお、上述した実施形態では、図４に示したように、介入マスタテーブルにおいて、一つの介入（介入マスタＩＤ）に対して一つの効能・効果ＩＤが設定される場合の例を示したが、実施形態はこれに限られない。例えば、介入マスタテーブルにおいて、一つの介入（介入マスタＩＤ）に対して複数の効能・効果ＩＤが設定されるようにしてもよい。
【０１０９】
図１９は、第１の変形例に係る介入マスタテーブルの一例を示す図である。
【０１１０】
例えば、図１９に示すように、介入マスタテーブルにおいて、一つの介入（介入マスタＩＤ）に対して、当該介入に関する複数の効能・効果ＩＤが設定される。
【０１１１】
そして、この場合には、分類機能１５２は、介入マスタテーブルに設定されている複数の効能・効果ＩＤに基づいて、クラスタ手法を用いて、効能又は効果に関する複数の分類を構築する。そして、分類機能１５２は、構築した分類に基づいて、オーダ情報（オーダテーブル及び介入テーブル）に含まれている介入を分類する。
【０１１２】
図２０は、第１の変形例に係る分類機能１５２によって行われる効能又は効果に関する分類の構築の一例を示す図である。ここで、図２０に示す例は、図１９に示した介入マスタテーブルを用いた場合の例である。
【０１１３】
例えば、図２０に示すように、分類機能１５２は、効能・効果ＩＤに「Ｅ＿０００１」、「Ｅ＿０００２」及び「Ｅ＿０００３」が含まれている介入のグループ（介入マスタＩＤ：「ＭＩ＿０００１」、「ＭＩ＿０００２」）から、一つの小分類１４１を構築する。また、分類機能１５２は、効能・効果ＩＤに「Ｅ＿０００４」、「Ｅ＿０００５」及び「Ｅ＿０００６」が含まれている介入のグループ（介入マスタＩＤ：「ＭＩ＿０００３」、「ＭＩ＿０００４」）から、一つの小分類１４２を構築する。また、分類機能１５２は、効能・効果ＩＤに「Ｅ＿０００４」及び「Ｅ＿０００５」が含まれている介入のグループ（介入マスタＩＤ：「ＭＩ＿０００３」〜「ＭＩ＿０００５」）から、一つの中分類１４３を構築する。また、分類機能１５２は、効能・効果ＩＤに設定されている識別情報に「Ｅ＿００」が含まれている介入のグループ（介入マスタＩＤ：「ＭＩ＿０００１」〜「ＭＩ＿０００５」）から、一つの大分類１４４を構築する。
【０１１４】
また、上述した実施形態では、図５に示したように、効能・効果テーブルが、データ項目として複数の分類（大分類、中分類、小分類）を含む場合の例を説明したが、実施形態はこれに限られない。例えば、効能・効果テーブルは、データ項目として、予め構築された複数の分類の代わりに、効能・効果の説明を示す項目を含むようにしてもよい。
【０１１５】
図２１は、第１の変形例に係る効能・効果テーブルの一例を示す図である。
【０１１６】
例えば、図２１に示すように、効能・効果テーブルは、データ項目として、予め構築された大分類、中分類及び小分類の代わりに、効能・効果の説明を示す情報が設定される項目（効能・効果）を含む。
【０１１７】
そして、この場合には、分類機能１５２は、介入マスタテーブルに設定されている効能・効果の説明に含まれている単語や文などに基づいて、クラスタ手法を用いて、大分類、中分類、小分類のように複数の分類を構築する。そして、分類機能１５２は、構築した分類に基づいて、オーダ情報（オーダテーブル及び介入テーブル）に含まれている介入を分類する。
【０１１８】
図２２は、第１の変形例に係る分類機能１５２によって行われる効能又は効果に関する分類の構築の他の一例を示す図である。ここで、図２２に示す例は、図２１に示した効能・効果テーブルを用いた場合の例である。
【０１１９】
例えば、図２２に示すように、分類機能１５２は、効能・効果ＩＤに「Ｅ＿０００５」が設定されている効能・効果の説明と、効能・効果ＩＤに「Ｅ＿０００６」が設定されている効能・効果の説明とに基づいて、一つの小分類１６１を構築する。また、分類機能１５２は、効能・効果ＩＤに「Ｅ＿０１１０」が設定されている効能・効果の説明と、効能・効果ＩＤに「Ｅ＿０１１１」が設定されている効能・効果の説明とに基づいて、一つの小分類１６２を構築する。また、分類機能１５２は、効能・効果ＩＤに「Ｅ＿０００５」が設定されている効能・効果の説明と、効能・効果ＩＤに「Ｅ＿０００６」が設定されている効能・効果の説明と、効能・効果ＩＤに「Ｅ＿０００７」が設定されている効能・効果の説明とから、一つの中分類１６３を構築する。また、分類機能１５２は、効能・効果ＩＤに「Ｅ＿０１１０」が設定されている効能・効果の説明と、効能・効果ＩＤに「Ｅ＿０１１１」が設定されている効能・効果の説明と、効能・効果ＩＤに「Ｅ＿０１１２」が設定されている効能・効果の説明とから、一つの中分類１６４を構築する。また、分類機能１５２は、効能・効果ＩＤに「Ｅ＿０００５」が設定されている効能・効果の説明と、効能・効果ＩＤに「Ｅ＿０００６」が設定されている効能・効果の説明と、効能・効果ＩＤに「Ｅ＿０００７」が設定されている効能・効果の説明と、他の効能・効果ＩＤの効能・効果の説明とから、一つの大分類１６５を構築する。また、分類機能１５２は、効能・効果ＩＤに「Ｅ＿０１１０」が設定されている効能・効果の説明と、効能・効果ＩＤに「Ｅ＿０１１１」が設定されている効能・効果の説明と、効能・効果ＩＤに「Ｅ＿０１１２」が設定されている効能・効果の説明と、他の効能・効果ＩＤの効能・効果の説明とから、一つの大分類１６６を構築する。
【０１２０】
このように、第１の変形例では、分類機能１５２が、クラスタ手法を用いて複数の分類を構築するので、予め複数の分類を定義してデータを保持しておくことが不要になり、テーブルの構築にかかる手間を軽減することができる。
【０１２１】
（第２の実施形態）
なお、上述した実施形態では、介入と当該介入に関する情報とを対応付けた情報に基づいて分類された単位で介入を示す情報を表示する場合の例を説明したが、実施形態はこれに限られない。
【０１２２】
例えば、表示制御機能１５４が、操作者によって指定された条件に基づいて、介入を示す情報を表示する単位を切り替えるようにしてもよい。以下では、このような例を第２の実施形態として説明する。なお、第２の実施形態では、上述した実施形態と異なる点を中心に説明することとし、上述した実施形態と重複する内容については説明を省略する。
【０１２３】
例えば、表示制御機能１５４は、介入の分類の大きさに関する粒度を切り替える。
【０１２４】
図２３は、第２の実施形態に係る表示制御機能１５４によって表示される情報の一例を示す図である。
【０１２５】
例えば、図２３に示すように、表示制御機能１５４は、介入表示領域５１０に表示される介入の分類の大きさに関する粒度を指定する操作を操作者から受け付けるためのスライドバー５１１を表示する。そして、表示制御機能１５４は、操作者によってスライドバー５１１を移動する操作が行われた場合には、スライドバー５１１の位置に応じた粒度の分類の単位で、介入を示す情報を表示する。ここでいう分類の単位は、例えば、薬剤の商品名、一般名、効能又は効果、介入種、介入有無等であり、ここで列挙した順で、分類の大きさに関する粒度が粗くなる。
【０１２６】
例えば、表示制御機能１５４は、スライドバー５１１が左側に移動されるほど、介入を表示する単位となる分類の粒度を細かくし、スライドバー５１１が右側に移動されるほど、介入を表示する単位となる分類の粒度を粗くする。例えば、図２３の上側に示す例は、スライドバー５１１が左側に移動された結果、商品名での分類に基づいた介入の単位で、介入を示す情報が表示された状態を示している。また、例えば、図２３の下側に示す例は、スライドバー５１１が左側に移動された結果、介入種での分類に基づいた介入の単位で、介入を示す情報が表示された状態を示している。
【０１２７】
なお、図２３では、スライドバー５１１を用いた場合の例を示したが、粒度を変更する操作を受け付けるためのＧＵＩ（Graphical  User  Interface）はこれに限られず、例えば、ラジオボタンやチェックボックス等が用いられてもよい。
【０１２８】
例えば、表示制御機能１５４は、効能又は効果について、分類の大きさを「大」、「中」、「小」に分け、それぞれに個別にラジオボタンを表示し、各ラジオボタンに対する操作を操作者から受け付ける。そして、表示制御機能１５４は、「大」のラジオボタンに対する操作が行われた場合には、大分類の単位で、介入を示す情報を表示する。また、表示制御機能１５４は、「中」のラジオボタンに対する操作が行われた場合には、中分類の単位で、介入を示す情報を表示する。また、表示制御機能１５４は、「小」のラジオボタンに対する操作が行われた場合には、小分類の単位で、介入を示す情報を表示する。
【０１２９】
また、例えば、表示制御機能１５４は、介入種について、「投薬」、「リハビリ」、「食事管理」、・・・のように、複数の介入種に個別にチェックボックスを表示し、各チェックボックスに対する操作を操作者から受け付ける。そして、表示制御機能１５４は、操作者によって操作が行われたチェックボックスに対応する介入種の単位で、介入を示す情報を表示する。
【０１３０】
このように、表示制御機能１５４が、介入の分類の大きさに関する粒度を切り替えることによって、分類の大きさに関する粒度に応じて介入の表示単位を変更することができるようになる。
【０１３１】
また、例えば、表示制御機能１５４は、介入の期間に関する粒度を切り替えるようにしてもよい。
【０１３２】
図２４は、第２の実施形態に係る表示制御機能１５４によって表示される情報の他の一例を示す図である。
【０１３３】
例えば、図２４に示すように、表示制御機能１５４は、介入表示領域５１０に表示される日時の範囲を指定する操作者から操作を受け付ける。そして、表示制御機能１５４は、操作者によって当該操作が行われた場合には、指定された範囲の日時が表示されるように、介入表示領域５１０に表示される日時の単位を設定する。ここでいう日時の単位は、例えば、１日単位、週単位、月単位等である。例えば、図２４の上側に示す例は、１日単位で日時が表示された状態を示しており、下側に示す例は、週単位で日時が表示された状態を示している。
【０１３４】
そして、表示制御機能１５４は、介入表示領域５１０に表示される日時の単位に応じて、介入表示領域５１０に表示される介入の期間に関する粒度を変更する。例えば、表示制御機能１５４は、図２４に示す「ラシックス注  ２０ｍｇ」の介入に関する線５１２のように、１日単位の表示では、異なる介入として表示していた開始日時及び終了日時の線を、週単位の表示では、１日未満の途切れは無視して、１本の線でまとめて表示する。
【０１３５】
このように、表示制御機能１５４が、介入の期間に関する粒度を切り替えることによって、時系列の粒度に応じて介入の表示単位を変更することができるようになる。これにより、操作者が分類の単位で明示的に粒度を調整しなくても、介入の表示を適切な粒度の表示に切り替えることができるようになる。
【０１３６】
また、例えば、表示制御機能１５４は、分類機能１５２によって介入が複数の単位に分類された場合に、当該単位の中から操作者によって指定された複数の単位を一つにまとめて表示するようにしてもよい。
【０１３７】
図２５は、第２の実施形態に係る表示制御機能１５４によって表示される情報の他の一例を示す図である。
【０１３８】
例えば、図２５に示すように、表示制御機能１５４は、介入表示領域５１０に表示された一つの介入の終了日時と他の介入の開始日時とを接続する操作を操作者から受け付ける。そして、表示制御機能１５４は、操作者によって当該操作が行われた場合には、操作の対象となった二つの介入の期間を連結して同一行に表示する。
【０１３９】
例えば、表示制御機能１５４は、図２５の上側に示す「ラシックス注  ２０ｍｇ」の介入のように、同じ介入に関する二つの期間（開始日時〜終了日時）について、一方の期間を表す線５１３における終了日時の位置に、他方の期間を表す線５１４における開始日時を重ね合わせる操作（例えば、マウスのドラッグ操作等）を受け付ける。この場合に、例えば、表示制御機能１５４は、図２５の下側に示す「ラシックス注  ２０ｍｇ」の介入のように、一方の期間を表す線５１３と他方の期間を表す線５１４との間が途切れていた場合には、途切れていた区間に新たな線５１５を表示することで、同じ期間に関する二つの期間を連結して表示する。さらに、例えば、表示制御機能１５４は、期間を連結する前に一方の期間を表す線５１３にあった終了日時の位置、及び、他方の期間を表す線５１４にあった開始日時の位置それぞれにマーク５１６を表示する。
【０１４０】
また、例えば、表示制御機能１５４は、図２５の上側に示す「カコージンＤ注  ０．３％」の介入及び「カコージンＤ注  ０．１％」の介入のように、二つの介入に関する期間について、一方の期間を表す線５１７における終了日時の位置に、他方の期間を表す線５１８における開始日時を重ね合わせる操作（例えば、マウスのドラッグ操作等）を受け付ける。この場合に、例えば、表示制御機能１５４は、図２５の下側に示す「カコージンＤ注  ０．３％」の介入のように、一方の期間を表す線５１７の終了日時に他方の期間を表す線５１８の開始日時を接続することで、二つの介入に関する期間を連結して表示する。さらに、例えば、表示制御機能１５４は、一方の期間を表す線５１７の終了日時と他方の期間を表す線５１８の開始日時とを接続した位置にマーク５１９を表示する。
【０１４１】
ここで、例えば、表示制御機能１５４は、操作者から期間の連結を解除することを指示する操作を受け付け、当該操作に応じて、いったん連結した期間の表示を解除して元の表示に戻すようにしてもよい。
【０１４２】
このように、表示制御機能１５４が、操作者によって指定された複数の単位を一つにまとめて表示することによって、操作者が、介入に関する情報の表示単位を任意に編集できるようになる。
【０１４３】
上述したように、第２の実施形態では、表示制御機能１５４が、操作者によって指定された条件に基づいて、介入を示す情報を表示する単位を切り替える。したがって、第２の実施形態によれば、操作者が、介入を示す情報を表示する単位を動的に変更することができるようになる。
【０１４４】
（第２の変形例）
なお、上述した実施形態では、図２５に示したように、操作者から受け付けた操作に応じて、同じ介入に関する二つの期間を連結して表示する場合の例を説明したが、実施形態はこれに限られない。例えば、中断した期間を継続した期間として扱うための継続期間を設定したテーブルを記憶回路１２０に記憶させておき、当該テーブルに設定されている継続期間に基づいて、二つの期間を連結して表示するようにしてもよい。
【０１４５】
図２６は、第２の変形例に係る継続期間テーブルの一例を示す図である。
【０１４６】
例えば、図２６に示すように、継続期間テーブルは、データ項目として、介入マスタＩＤと、継続期間とを含む。ここで、介入マスタＩＤには、介入を一意に識別する識別情報が設定される（介入マスタテーブルに設定される介入マスタＩＤと対応）。また、継続期間には、当該介入に関する期間が中断していた場合に当該期間を継続した期間とみなす中断期間の長さが設定される。
【０１４７】
なお、ここででは、継続期間テーブルにおいて、介入マスタＩＤごとに継続期間が設定される場合の例を説明するが、実施形態はこれに限られない。例えば、継続期間テーブルにおいて、効能・効果ＩＤ、患者ＩＤ、オーダＩＤ又は介入ＩＤごとに継続期間が設定されてもよいし、これらのＩＤの組み合わせごとに継続期間が設定されてもよい。
【０１４８】
そして、この場合には、導出機能１５３は、継続期間テーブルに設定されている継続期間をさらに参照して、取得機能１５１によって取得された履歴情報に含まれる一連の介入の開始日時及び終了日時を導出する。
【０１４９】
図２７は、第２の変形例に係る導出機能１５３によって行われる介入の開始時期及び終了時期の導出の処理手順を示すフローチャートである。
【０１５０】
例えば、図２７に示すように、導出機能１５３は、分類機能１５２によって得られた分類結果を参照して（図１２を参照）、分類ＩＤを一つ選択する（ステップＳ６０１）。
【０１５１】
続いて、導出機能１５３は、分類機能１５２によって得られた分類結果を参照して、選択した分類ＩＤに対応付けられている介入ＩＤを取得し、取得した介入ＩＤを時系列に並べる（ステップＳ６０２）。
【０１５２】
その後、導出機能１５３は、時系列に並べた介入ＩＤそれぞれについて、介入テーブルに設定されている日時、介入マスタＩＤ及び期間、並びに、継続期間テーブルに設定されている継続期間に基づいて、介入の開始日時及び終了日時を導出する（ステップＳ６０３）。
【０１５３】
ここで、導出機能１５３は、時系列に並べられた介入ＩＤそれぞれに対応付けられている日時、介入マスタＩＤ及び期間を時系列順に参照し、予め決められた条件に基づいて、介入の開始日時及び終了日時を導出する。
【０１５４】
このとき、例えば、導出機能１５３は、介入マスタＩＤが変更になり、かつ、介入の中断期間が継続期間テーブルに設定されている継続期間より長い場合に、一連の介入が終了したと判定する。また、例えば、導出機能１５３は、日時について朝−昼−夕の繰り返しが途切れ、かつ、介入の中断期間が継続期間テーブルに設定されている継続期間より長い場合に、一連の介入が終了したと判定する。また、例えば、導出機能１５３は、期間が変更になり、かつ、介入の中断期間が継続期間テーブルに設定されている継続期間より長い場合に、一連の介入が終了したと判定する。
【０１５５】
そして、導出機能１５３は、介入が終了したと判定するごとに、それまでの一連の介入をまとめた単位で、介入の開始日時及び終了日時を導出する。
【０１５６】
その後、導出機能１５３は、介入テーブルをさらに参照して、全ての分類ＩＤを選択したか否かを判定する（ステップＳ６０４）。
【０１５７】
ここで、まだ全ての分類ＩＤを選択していない場合には（ステップＳ６０４，Ｎｏ）、導出機能１５３は、他の分類ＩＤを一つ選択する（ステップＳ６０１に戻る）。一方、既に全ての分類ＩＤを選択していた場合には（ステップＳ６０４，Ｙｅｓ）、導出機能１５３は、介入の開始日時及び終了日時を導出する処理を終了する。
【０１５８】
そして、表示制御機能１５４は、介入を示す情報として、導出機能１５３によって導出された一連の介入の開始日時及び終了日時を示す情報を表示する。
【０１５９】
図２８は、第２の変形例に係る表示制御機能１５４によって表示される情報の一例を示す図である。なお、図２８の上側に示す例は、上述した継続期間を用いずに介入の開始日時及び終了日時が導出された場合の例であり、下側に示す例は、上述した継続期間を用いて介入の開始日時及び終了日時が導出された場合の例である。
【０１６０】
例えば、図２８の上側に示すように、継続期間を用いずに介入の開始日時及び終了日時が導出された場合には、一つの介入に関する期間を表す線５２０が中断されて表示されることもある。これについて、本変形例では、例えば、図２８の下側に示すように、一つの介入に関する期間の中断期間が、継続期間テーブルに設定されている継続期間と同じ又は当該継続期間より短い場合には、当該介入に関する期間を示す線５２０が中断されずに連続した１本の線で表示されることになる。
【０１６１】
介入の種類によっては、その効果を評価する際に、中断している期間を継続した期間として扱うことが望まれる場合もあり得る。例えば、薬剤に関する介入については、その効果を評価する際に、薬剤の効果又は効能が継続している間は継続した期間として扱う場合がある。このような場合に、第２の変形例では、継続期間テーブルにおいて、薬剤に関する介入について、当該薬剤の効果又は効能が切れる期間を継続期間に設定しておくことで、薬剤の効果又は効能が継続している間は継続した期間とみなすことができるようになる。
【０１６２】
なお、上述した実施形態では、上述した各処理機能が単一の処理回路１５０によって実現される場合の例を説明したが、実施形態はこれに限られない。例えば、処理回路１５０は、複数の独立したプロセッサを組み合わせて構成され、各プロセッサが各プログラムを実行することにより各処理機能を実現するものとしても構わない。また、処理回路１５０が有する各処理機能は、単一又は複数の処理回路に適宜に分散又は統合されて実現されてもよい。
【０１６３】
また、上述した説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは、記憶回路１２０に保存されたプログラムを読み出して実行することで、機能を実現する。なお、記憶回路１２０にプログラムを保存する代わりに、プロセッサの回路内にプログラムを直接組み込むように構成しても構わない。この場合は、プロセッサは回路内に組み込まれたプログラムを読み出して実行することで機能を実現する。また、本実施形態の各プロセッサは、プロセッサごとに単一の回路として構成される場合に限らず、複数の独立した回路を組み合わせて一つのプロセッサとして構成され、その機能を実現するようにしてもよい。
【０１６４】
ここで、プロセッサによって実行されるプログラムは、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、上述した各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【０１６５】
以上説明した少なくとも一つの実施形態によれば、介入の効果の評価をより適切に行うための情報を提示することができる。
【０１６６】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１６７】
１００  医用情報処理装置
１５０  処理回路
１５１  取得機能
１５２  分類機能
１５３  導出機能
１５４  表示制御機能
【図１】
2018173897.tif 000003
【図２】
2018173897.tif 000004
【図３】
2018173897.tif 000005
【図４】
2018173897.tif 000006
【図５】
2018173897.tif 000007
【図６】
2018173897.tif 000008
【図７】
2018173897.tif 000009
【図８】
2018173897.tif 000010
【図９】
2018173897.tif 000011
【図１０】
2018173897.tif 000012
【図１１】
2018173897.tif 000013
【図１２】
2018173897.tif 000014
【図１３】
2018173897.tif 000015
【図１４】
2018173897.tif 000016
【図１５】
2018173897.tif 000017
【図１６】
2018173897.tif 000018
【図１７】
2018173897.tif 000019
【図１８】
2018173897.tif 000020
【図１９】
2018173897.tif 000021
【図２０】
2018173897.tif 000022
【図２１】
2018173897.tif 000023
【図２２】
2018173897.tif 000024
【図２３】
2018173897.tif 000025
【図２４】
2018173897.tif 000026
【図２５】
2018173897.tif 000027
【図２６】
2018173897.tif 000028
【図２７】
2018173897.tif 000029
【図２８】
2018173897.tif 000030